(57)【要約】【課題】現場の映像データに関する属性情報を簡易に付与し、撮像された映像データを取扱う上での利便性を向上する。【解決手段】ウェアラブルカメラは、撮像部１１と、撮像部１１により撮像された映像データを記憶する記憶部１５と、ユーザの音声を収音するマイクロホンＭＣと、映像データの撮像状況を示す属性情報に関する音声がユーザにより発話された場合に、マイクロホンＭＣにより収音された属性情報に関する音声データを、映像データに付与して記憶部１５に記憶するＭＣＵ１９と、を備える。【選択図】図１０
2016181767.tif 000002
【特許請求の範囲】
【請求項１】
撮像部と、
前記撮像部により撮像された映像データを記憶する記憶部と、
ユーザの音声を収音する収音部と、
前記映像データの撮像状況を示す属性情報に関する音声が前記ユーザにより発話された場合に、前記収音部により収音された前記属性情報に関する音声データを、前記映像データに付与して前記記憶部に記憶する制御部と、を備える、
ウェアラブルカメラ。
【請求項２】
請求項１に記載のウェアラブルカメラであって、
前記ユーザの前記属性情報の付与操作が入力される第１入力部と、
前記第１入力部により入力された前記付与操作に応じた前記属性情報の選択操作が入力される第２入力部と、を更に備え、
前記制御部は、前記第２入力部により入力された前記選択操作に応じた前記属性情報を、前記映像データに付与して前記記憶部に記憶する、
ウェアラブルカメラ。
【請求項３】
請求項１に記載のウェアラブルカメラであって、
前記属性情報に関する音声に、前記属性情報自体の音声が含まれる、
ウェアラブルカメラ。
【請求項４】
請求項１に記載のウェアラブルカメラであって、
前記制御部は、前記映像データの録画動作が終了してから次の録画動作が開始するまでの間又は前記映像データの録画動作中に、前記収音部により前記ユーザの前記属性情報に関する音声の収音を検出した場合に、直前に録画終了した映像データ又は録画中の映像データに、前記属性情報に関する音声データを前記属性情報として付与する、
ウェアラブルカメラ。
【請求項５】
請求項２に記載のウェアラブルカメラであって、
前記第２入力部における複数の設定状態のそれぞれに対して異なる属性情報を割り付けて設定可能である、
ウェアラブルカメラ。
【請求項６】
ウェアラブルカメラとサーバとが接続されたウェアラブルカメラシステムであって、
前記ウェアラブルカメラは、
撮像部と、
前記撮像部により撮像された映像データを記憶する第１記憶部と、
ユーザの音声を収音する収音部と、
前記映像データの撮像状況を示す属性情報に関する音声が前記ユーザにより発話された場合に、前記収音部により収音された前記属性情報に関する音声データを、前記映像データに付与して前記第１記憶部に記憶する制御部と、
前記属性情報に関する音声データが付与された前記映像データを前記サーバに送信する送信部と、を備え、
前記サーバは、
前記属性情報に関する音声データが付与された前記映像データを受信する受信部と、
前記映像データに付与された前記属性情報に関する音声データを音声認識する音声認識部と、
前記属性情報に関する音声データの前記音声認識部における音声認識結果を、前記受信部により受信された前記映像データと対応付けて記憶する第２記憶部と、を備える、
ウェアラブルカメラシステム。
【発明の詳細な説明】
【技術分野】
【０００１】
本発明は、例えば人の身体又は着用した衣服等に装着可能なウェアラブルカメラ、及びウェアラブルカメラを含むウェアラブルカメラシステムに関する。
【背景技術】
【０００２】
近年、例えば警察官や警備員の業務を支援するために、警察官や警備員が身体又は着用した衣服等にウェアラブルカメラを装着して現場等の映像を撮像する運用が導入されている。
【０００３】
ここで、ウェアラブルカメラを用いた先行技術として、例えば特許文献１に記載されたウェアラブル監視カメラシステムがある。このウェアラブル監視カメラシステムは、身体に装着するＣＣＤカメラ手段及びマイク手段からの映像信号及び音声信号、並びに内蔵のクロック手段からの日時情報信号を、身体に装着するポーチ手段に収納するエンコードサーバー手段によりエンコードし、また文字情報に変換した日時情報を撮像した映像にスーパーインポーズして記録する。
【先行技術文献】
【特許文献】
【０００４】
【特許文献１】特開２００６−１４８８４２号公報
【発明の概要】
【発明が解決しようとする課題】
【０００５】
警察官や警備員の業務にウェアラブルカメラを使用する場合、撮像により得られた映像データを録画して保存する際、例えば特許文献１に記載のウェアラブルカメラ監視システムのように映像信号と日時情報とを関連づけて保存する等、後日録画した映像データを再生する場合に目的の映像データの抽出、検索ができることが求められる。例えば日時情報の他に、映像がどんな事件に関するかを示す属性情報等、各種情報を映像データに関連付けて付与しておくと、目的の映像データの抽出、検索が容易にできて便利である。
【０００６】
しかし、特許文献１を含む従来技術では、属性情報を映像データに付与する場合、属性情報を付与する担当者が、ウェアラブルカメラが撮像した映像データを後でＰＣ（Personal Computer）等を用いて再生して映像内容を確認してから付与する。このため、属性情報の付与に手間がかかり、利便性が低下するという課題があった。特に、警察官や警備員の業務に使用されるウェアラブルカメラは、例えば緊急時の映像を撮像することが多い。このため、現場での業務の終了後にＰＣを用いて属性情報を付与する場合、ＰＣを用いた属性情報の付与処理自体を失念し、又は後でどの属性情報が適する映像であるかの判別が困難である等、現場の状況が撮像された映像データの管理面での課題があった。また、ウェアラブルカメラは警察官や警備員等のユーザが携行し易くするために筐体が小型なので、操作ボタン等の入力部の配置上の制約もある上、多様な現場の映像がどんな事件に関するかを示す属性情報の入力時の利便性も求められる。
【０００７】
本発明は、上述した課題を解決するために、現場の映像データに関する属性情報を簡易に付与し、撮像された映像データを取扱う上での利便性を向上するウェアラブルカメラ及びウェアラブルカメラシステムを提供することを目的とする。
【課題を解決するための手段】
【０００８】
本発明は、撮像部と、前記撮像部により撮像された映像データを記憶する記憶部と、ユーザの音声を収音する収音部と、前記映像データの撮像状況を示す属性情報に関する音声が前記ユーザにより発話された場合に、前記収音部により収音された前記属性情報に関する音声データを、前記映像データに付与して前記記憶部に記憶する制御部と、を備える、ウェアラブルカメラを提供する。
【０００９】
また、本発明は、ウェアラブルカメラとサーバとが接続されたウェアラブルカメラシステムであって、前記ウェアラブルカメラは、撮像部と、前記撮像部により撮像された映像データを記憶する第１記憶部と、ユーザの音声を収音する収音部と、前記映像データの撮像状況を示す属性情報に関する音声が前記ユーザにより発話された場合に、前記収音部により収音された前記属性情報に関する音声データを、前記映像データに付与して前記第１記憶部に記憶する制御部と、前記属性情報に関する音声データが付与された前記映像データを前記サーバに送信する送信部と、を備え、前記サーバは、前記属性情報に関する音声データが付与された前記映像データを受信する受信部と、前記映像データに付与された前記属性情報に関する音声データを音声認識する音声認識部と、前記属性情報に関する音声データの前記音声認識部における音声認識結果を、前記受信部により受信された前記映像データと対応付けて記憶する第２記憶部と、を備える、ウェアラブルカメラシステムを提供する。
【発明の効果】
【００１０】
本発明によれば、現場の映像データに関する属性情報を簡易に付与でき、撮像された映像データを取扱う上での利便性を向上できる。
【図面の簡単な説明】
【００１１】
【図１】本実施形態のウェアラブルカメラシステムの概要とウェアラブルカメラにより撮像された映像データの使用に関する説明図
【図２】本実施形態のウェアラブルカメラの内部構成の一例を示すブロック図
【図３】本実施形態のバックエンドサーバの内部構成の一例を示すブロック図
【図４】本実施形態のウェアラブルカメラをユーザが装着した状態を示す図
【図５】本実施形態のウェアラブルカメラの外観の一例を示す正面図
【図６】本実施形態のウェアラブルカメラの外観の一例を示す左側面図
【図７】本実施形態のウェアラブルカメラの外観の一例を示す右側面図
【図８】ウェアラブルカメラにより撮像された録画データのデータ構造の一例を示す図
【図９】属性選択スイッチと属性情報との対応関係の一例を示す図
【図１０】属性選択スイッチと属性情報付与モードと属性情報との対応関係の一例を示す図
【図１１】録画映像リストのデータ構造の一例を示す図
【図１２】連続録画時に属性情報を付与する動作の一例を示すタイムチャート
【図１３】プレ録音及びプレ録画が無い時に属性情報を付与する動作の一例を示すタイムチャート
【図１４】プレ録音及びプレ録画がある時に属性情報を付与する動作の一例を示すタイムチャート
【図１５】プレ録画がある時に属性情報を付与する動作の一例を示すタイムチャート
【図１６】本実施形態のウェアラブルカメラにおける属性情報付与動作に関する手順の一例を示すフローチャート
【発明を実施するための形態】
【００１２】
以下、本発明に係るウェアラブルカメラ及びウェアラブルカメラシステムを具体的に開示した実施形態（以下、「本実施形態」という）について、図面を参照して詳細に説明する。
【００１３】
本実施形態では、ユーザ（例えば警察官（Officer）７。以下同様。）が装着可能なウェアラブルカメラ（ＢＷＣ：Body Worn Camera）とバックエンドサーバとが接続されたウェアラブルカメラシステムにおいて、ウェアラブルカメラ１０は、ユーザの音声を収音するマイクロホンＭＣを有し、撮像部１１により撮像された映像データの撮像状況を示す属性情報に関する音声がユーザにより発話された場合に、マイクロホンＭＣにより収音された属性譲歩に関する音声データを、映像データに付与して記憶部１５に記憶し、更に、属性情報に関する音声データが付与された映像データをバックエンドサーバＳＶに送信する。バックエンドサーバＳＶは、属性情報に関する音声データが付与された映像データを受信した後、映像データに付与された属性情報に関する音声データを音声認識し、その結果を映像データと対応付けてストレージ３０８に保存する。
【００１４】
図１は、本実施形態のウェアラブルカメラシステム１００の概要とウェアラブルカメラにより撮像された映像データの使用に関する説明図である。本実施形態のウェアラブルカメラ１０は、ユーザ（例えば警察官７）が身体、衣服、帽子等に装着可能な撮像装置である。ウェアラブルカメラ１０は、車両（例えば警察官が乗車するパトカー）に搭載された車載システム６０、又は警察官７が所属する警察署５内のバックエンドサーバＳＶとの間で通信（例えば無線通信）を行う通信機能を有する。
【００１５】
図１に示すウェアラブルカメラシステム１００において、ウェアラブルカメラ１０、車載システム６０がフロントエンドシステム１００Ａを構成し、ネットワーク上の管理ソフトウェア７０、バックエンドサーバＳＶ、警察署内のＰＣである署内ＰＣ７１がバックエンドシステム１００Ｂを構成する。管理ソフトウェア７０は、例えば署内ＰＣ７１又はバックエンドサーバＳＶにより実行される。
【００１６】
以下、本実施形態では、例えばウェアラブルカメラシステム１００が警察署５において使用される場合を想定して説明する。警察官７は、ウェアラブルカメラ１０を装着してから操作し、定期的なパトロールや緊急時の出動先となる現場の状況又は特定の被写体（例えば事件の被害者、容疑者、現場周囲にいる見学者）の撮像を行う。ウェアラブルカメラ１０は、警察官７の操作に応じて、例えば警察署５内のバックエンドシステム１００Ｂに、撮像により得られた映像データを転送する。なお、ウェアラブルカメラ１０は、ユーザが警察官７に限定されず、その他様々な事業所（例えば、警備会社）において使用されてもよい。本実施形態では、ユーザとして現場に駆け付ける警察官７を主に例示する。
【００１７】
フロントエンドシステム１００Ａは、最前線の現場に出動する警察官７が装着可能なウェアラブルカメラ１０と、警察官が保持又は警察官が乗用するパトカー内に配置された携帯端末（例えばスマートフォンであるが図示を省略）と、パトカー内に設置された車載システム６０とを含む構成である。車載システム６０は、車載カメラ（不図示）、車載レコーダ（不図示）、車載ＰＣ（不図示）、通信ユニット等を有し、車載カメラシステム、映像管理システム等を構成する。
【００１８】
車載カメラは、パトカーの所定位置に設置され、パトカーの周囲（例えばパトカーの前方又はパトカー内のバックシート）を常時又は所定のタイミング毎に映像を撮像する。つまり、車載カメラは、例えばパトカーの前方を撮像するためのフロント用カメラ（不図示）、パトカー内のバックシート（例えば容疑者を座らせているシート）を撮像するためのバックシート用カメラ（不図示）と、を含む構成である。車載カメラにより撮像された映像データは、例えば録画動作の実行によって車載レコーダに蓄積される。なお、車載カメラは、複数台設けられてもよい。
【００１９】
また、車載カメラは、フロント用カメラやバックシート用カメラとして、パトカーの車内外の音を収音するマイク（不図示）を有してもよい。この場合、パトカー内の警察官７又は容疑者の発する音声も収音（録音）可能である。
【００２０】
車載レコーダは、車載カメラにより撮像された映像データを蓄積する。車載レコーダは、ウェアラブルカメラ１０により撮像された映像データを取得し、蓄積可能である。また、車載レコーダは、映像データに対して付与される属性情報などのメタ情報を管理してもよい。
【００２１】
車載ＰＣは、パトカー内に固定的に搭載されるＰＣでもよいし、パトカー外で使用される携帯可能なＰＣ、スマートフォン、携帯電話機、タブレット端末、ＰＤＡ（Personal Digital Assistant）等の無線通信装置でもよい。
【００２２】
車載ＰＣは、図示しない管理ソフトウェアを実行することで、車載システム６０とウェアラブルカメラ１０との連携（具体的には、車載システム６０とウェアラブルカメラ１０との間の通信）を可能にする。また、車載ＰＣのＵＩ（User Interface）（例えば、操作デバイス、表示デバイス、音声出力デバイス）は、車載レコーダを操作するためのＵＩとしても用いられる。
【００２３】
警察官７は、所定の用件（例えばパトロール）で警察署５から出動する際、例えばウェアラブルカメラ１０を装着し、車載システム６０を搭載したパトカーに乗車して現場に向かう。フロントエンドシステム１００Ａにおいて、例えばパトカーが到着した現場の映像を車載システム６０の車載カメラにより撮像し、警察官７がパトカーから降車して現場のより身近で詳細な映像をウェアラブルカメラ１０により撮像する。
【００２４】
ウェアラブルカメラ１０が撮像した動画又は静止画の映像データは、例えばウェアラブルカメラ１０のメモリ等による記憶部１５に保存される。ウェアラブルカメラ１０は、ウェアラブルカメラ１０の記憶デバイスから、ウェアラブルカメラ１０により撮像された映像データを含む各種データを、バックエンドシステム１００Ｂに転送（アップロード）する。なお、ウェアラブルカメラ１０により撮像された映像データを含む各種データは、ウェアラブルカメラ１０からバックエンドシステム１００Ｂに直接に転送されてもよいし、車載システム６０を介してバックエンドシステム１００Ｂに転送されてもよい。
【００２５】
車載カメラが撮像した動画又は静止画の映像データは、例えば車載システム６０の車載レコーダが備えるハードディスク（ＨＤＤ（Hard Disk Drive））、ＳＳＤ（Solid State Drive）等によるストレージに保存される。車載システム６０（例えば車載レコーダ）は、車載システム６０のストレージから、車載カメラにより撮像された映像データを含む各種データを、バックエンドシステム１００Ｂに転送（アップロード）する。
【００２６】
バックエンドシステム１００Ｂへのデータ転送は、例えば現場から無線通信により接続して行うか、或いは、パトロールが終了して警察署５に戻った際に、無線通信、有線通信、又は手動（例えば記憶媒体の持ち運び）により行う。
【００２７】
本実施形態では、ウェアラブルカメラ１０により撮像した映像データは、例えば車載システム６０経由でバックエンドシステム１００Ｂに転送（アップロード）される。この場合、ウェアラブルカメラ１０により撮像した動画又は静止画の映像データは、ウェアラブルカメラ１０から車載システム６０の車載レコーダに転送されて保存される。ウェアラブルカメラ１０又は車載カメラにより撮像され、車載レコーダに保存された動画又は静止画の映像データは、車載レコーダからバックエンドシステム１００Ｂに転送（アップロード）される。なお、ウェアラブルカメラ１０により撮像した映像データは、車載ＰＣのストレージ等に保存され、車載ＰＣからバックエンドシステム１００Ｂに転送（アップロード）されてもよい。
【００２８】
バックエンドシステム１００Ｂは、警察署５内又は他の場所に設置されたバックエンドサーバＳＶと、フロントエンドシステム１００Ａとの間で通信するための管理ソフトウェア７０と、署内ＰＣ７１とを含む構成である。
【００２９】
バックエンドサーバＳＶは、内部（図３参照）又は外部にＨＤＤ、ＳＳＤ等を用いて構成されるストレージ３０８を備える。バックエンドシステム１００Ｂにおいて、バックエンドサーバＳＶは、フロントエンドシステム１００Ａから転送された映像データ及び他のデータを、ストレージ３０８に蓄積し、警察署内の各部署において使用されるデータベースを構築する。バックエンドサーバＳＶは、例えばウェアラブルカメラ１０又は車載システム６０（例えば車載レコーダ）から転送された映像データを受信し、ストレージ３０８に保存する。
【００３０】
バックエンドシステム１００Ｂに蓄積された映像データは、例えば警察署５内の関係部署の担当者により事件の操作・検証等に利用され、必要に応じて、所定の記憶媒体（例えばＤＶＤ：Digital Versatile Disk）に映像データがコピーされて、所定のシーン（例えば裁判）において証拠品として提出される。本実施形態では、警察官７が装着したウェアラブルカメラ１０を用いて、現場の証拠映像をより的確に取得及び保存することが可能である。
【００３１】
警察官７が警察署５から現場へ出動し、ウェアラブルカメラ１０を用いる際には、警察官７の識別情報（例えばユーザＩＤとしての機能を有するオフィサＩＤ（Officer ID））、警察官が使用するウェアラブルカメラ１０の識別情報（例えばカメラＩＤ（Camera ID）、警察官７が使用するパトカーの識別情報（例えばカーＩＤ（Car ID）））等を、署内ＰＣ７１等を用いて設定登録する。これにより、バックエンドサーバＳＶに蓄積された映像データについて、いつ、どの警察官がどのカメラを用いて撮像した映像であるかを明確に区別できる。
【００３２】
警察官７やウェアラブルカメラ１０の設定登録は、例えば警察署５内の担当者や出動する警察官７が署内ＰＣ７１の操作デバイス（不図示）を操作し、署内ＰＣ７１が管理ソフトウェア７０を実行することで行われる。この設定登録では、上記Ｏｆｆｉｃｅｒ  ＩＤ，Ｃａｍｅｒａ  ＩＤ，Ｃａｒ  ＩＤ以外の情報が署内ＰＣ７１の操作デバイスを介して入力されてもよい。
【００３３】
つまり、管理ソフトウェア７０は、例えば警察官７の人員を管理するためのアプリケーション、パトカー等の配車を管理するためのアプリケーション、ウェアラブルカメラ１０の持ち出しを管理するためのアプリケーションを含む。また、管理ソフトウェア７０は、例えばバックエンドサーバＳＶに蓄積された複数の映像データから、属性情報に基づいて特定の映像データを検索し、抽出するためのアプリケーションを含む。
【００３４】
次に、本実施形態のウェアラブルカメラ１０の内部構成及び外観について、図２、図４〜図７を参照して説明する。
【００３５】
図２は、本実施形態のウェアラブルカメラ１０の内部構成の一例を示すブロック図である。図４は、本実施形態のウェアラブルカメラ１０をユーザが装着した状態を示す図である。図５は、本実施形態のウェアラブルカメラ１０の外観の一例を示す正面図である。図６は、本実施形態のウェアラブルカメラ１０の外観の一例を示す左側面図である。図７は、本実施形態のウェアラブルカメラ１０の外観の一例を示す右側面図である。
【００３６】
図２に示すウェアラブルカメラ１０は、マイクロホンＭＣと、撮像部１１と、ＧＰＩＯ１２（General Purpose Input/Output）と、ＲＡＭ１３と、ＲＯＭ１４と、記憶部１５と、ＥＥＰＲＯＭ（Electrically Erasable Programmable Read-Only Memory）１６と、ＲＴＣ（Real Time Clock）１７と、ＧＰＳ（Global Positioning System）１８と、ＭＣＵ（Micro Controller Unit）１９と、通信部２１と、ＵＳＢ（Universal Serial Bus）２２と、コンタクトターミナル２３と、電源部２４と、バッテリ２５とを含む構成である。また、ウェアラブルカメラ１０は、警察官７の操作を入力するために、録画スイッチＳＷ１と、スナップショットスイッチＳＷ２と、属性情報付与スイッチＳＷ３と、属性選択スイッチＳＷ４とを含む構成である。また、ウェアラブルカメラ１０は、ウェアラブルカメラ１０の動作状態を警察官７に報知するために、３つのＬＥＤ（Light Emitting Diode）２６ａ，２６ｂ，２６ｃと、バイブレータ２７とを含む構成である。
【００３７】
収音部の一例としてのマイクロホンＭＣは、ウェアラブルカメラ１０を装着した警察官７の発話音声を収音し、収音により得られた音声データをＭＣＵ１９に出力する。
【００３８】
撮像部１１は、撮像レンズと、ＣＣＤ（Charge Coupled Device）型イメージセンサ又はＣＭＯＳ（Complementary Metal Oxide Semiconductor）型イメージセンサ等による固体撮像素子とを有し、撮像により得られた被写体の映像データをＭＣＵ１９に出力する。
【００３９】
ＧＰＩＯ１２は、シリアルパラレル変換用のインタフェースであり、録画スイッチＳＷ１、スナップショットスイッチＳＷ２、属性情報付与スイッチＳＷ３、属性選択スイッチＳＷ４、ＬＥＤ２６ａ〜２６ｃ及びバイブレータ２７と、ＭＣＵ１９との間の信号の入出力を行う。
【００４０】
ＲＡＭ１３は、ＭＣＵ１９の動作において使用されるワークメモリである。
【００４１】
ＲＯＭ１４は、ＭＣＵ１９を制御するためのプログラム及びデータを予め記憶するメモリである。
【００４２】
記憶部１５は、例えばＳＤメモリ等の記憶媒体により構成され、撮像部１１にて撮像して得られた映像データを記憶する。記憶部１５としてＳＤメモリを用いる場合、ウェアラブルカメラ１０の筐体本体に対して取付け及び取外しが可能である。
【００４３】
ＥＥＰＲＯＭ１６は、ウェアラブルカメラ１０を識別する識別情報（例えばカメラＩＤ）、及び他の設定情報を記憶する。
【００４４】
ＲＴＣ１７は、現在の時刻情報をカウントしてＭＣＵ１９に出力する。
【００４５】
ＧＰＳ１８は、現在のウェアラブルカメラ１０の位置情報をＧＰＳ発信機（不図示）から受信してＭＣＵ１９に出力する。
【００４６】
ＭＣＵ１９は、ウェアラブルカメラ１０の動作制御部としての機能を有し、ウェアラブルカメラ１０の各部の動作を全体的に統括するための制御処理、他の各部との間のデータの入出力処理、データの演算（計算）処理及びデータの記憶処理を行い、ＲＯＭ１４に記憶されたプログラム及びデータに従って動作する。ＭＣＵ１９は、動作時には、ＲＡＭ１３を使用するとともに、ＲＴＣ１７より現在の時刻情報を得るとともに、ＧＰＳ１８より現在の位置情報を取得する。
【００４７】
通信部２１は、例えばＯＳＩ（Open Systems Interconnection）参照モデルの第１層である物理層において、通信部２１とＭＣＵ１９との接続を規定し、その規定に従って、例えば無線ＬＡＮ（Ｗ−ＬＡＮ）による無線通信（例えばＷｉ−ｆｉ（登録商標））を行う。通信部２１は、Ｂｌｕｅｔｏｏｔｈ（登録商標）等の無線通信を用いてもよい。
【００４８】
ＵＳＢ２２は、シリアルバスであり、ウェアラブルカメラ１０と車載システム６０、或いは警察署５内の署内ＰＣ７１等との接続を可能とする。
【００４９】
コンタクトターミナル２３は、クレードル（不図示）又は外付けアダプタ（不図示）等と電気的に接続するための端子であり、ＵＳＢ２２を介してＭＣＵ１９に接続されるともに、電源部２４と接続される。コンタクトターミナル２３を介して、ウェアラブルカメラ１０の充電、及び映像データを含むデータの通信が可能となっている。コンタクトターミナル２３は、例えば、「充電端子Ｖ＋」、「ＣＯＮ．ＤＥＴ端子」、「データ端子Ｄ−，Ｄ＋」及び「グランド端子」（いずれも図示省略）が設けられる。ＣＯＮ．ＤＥＴ端子は、電圧変化を検出するための端子である。データ端子Ｄ−，Ｄ＋は、例えばＵＳＢコネクタ端子を介して、外部ＰＣ等に対してウェアラブルカメラ１０で撮像した映像データ等を転送するための端子である。コンタクトターミナル２３とクレードル（不図示）又は外付けアダプタ（不図示）のコネクタとが接続されることにより、ウェアラブルカメラ１０と外部機器との間でデータ通信が可能となる。
【００５０】
電源部２４は、コンタクトターミナル２３を介してクレードル又は外付けアダプタより供給される電源電力をバッテリ２５に給電してバッテリ２５を充電する。
【００５１】
バッテリ２５は、充電可能な２次電池により構成され、ウェアラブルカメラ１０の各部に電源電力を供給する。
【００５２】
録画スイッチＳＷ１は、警察官７の押下操作による録画（動画の撮像）の開始／停止の操作指示を入力する押しボタンスイッチである。
【００５３】
スナップショットスイッチＳＷ２は、警察官７の押下操作による静止画の撮像の操作指示を入力する押しボタンスイッチである。
【００５４】
属性情報付与スイッチＳＷ３は、警察官７の押下操作による、映像データに属性情報を付与するための操作指示を入力する押しボタンスイッチである。
【００５５】
属性選択スイッチＳＷ４は、映像データに付与する属性を選択するための操作指示を入力するスライドスイッチである。また、ウェアラブルカメラ１０は、通信モードスイッチＳＷ５及びインジケータスイッチＳＷ６を設けてもよい。この通信モードスイッチＳＷ５は、ウェアラブルカメラ１０と外部機器との間の通信モードを設定するための操作指示を入力するスライドスイッチである。インジケータスイッチＳＷ６は、ＬＥＤ２６ａ〜２６ｃ及びバイブレータ２７による動作状態表示モードを設定するための操作指示を入力するスライドスイッチである。録画スイッチＳＷ１、スナップショットスイッチＳＷ２、属性情報付与スイッチＳＷ３、属性選択スイッチＳＷ４は、緊急時においても容易に操作が可能に構成される。
【００５６】
ＬＥＤ２６ａは、点灯の有無に応じて、ウェアラブルカメラ１０の電源投入状態（オンオフ状態）及びバッテリ２５の状態を報知する。
【００５７】
ＬＥＤ２６ｂは、点灯の有無に応じて、ウェアラブルカメラ１０の撮像動作の状態（録画状態）を報知する。
【００５８】
ＬＥＤ２６ｃは、点灯の有無に応じて、ウェアラブルカメラ１０の通信モードの状態を報知する。
【００５９】
ＭＣＵ１９は、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６の各スイッチの入力検出を行い、操作があったスイッチ入力に対する処理を行う。録画スイッチＳＷ１の操作入力を検出した場合、ＭＣＵ１９は、撮像部１１における撮像動作の開始又は停止を制御し、撮像部１１から得られた撮像データを動画像の映像データとして記憶部１５に保存する。また、スナップショットスイッチＳＷ２の操作入力を検出した場合、ＭＣＵ１９は、スナップショットスイッチＳＷ２が操作されたときの撮像部１１による撮像データを静止画の映像データとして記憶部１５に保存する。
【００６０】
また、ＭＣＵ１９は、属性情報付与スイッチＳＷ３の操作入力を検出した場合、予め設定された属性情報を映像データに付与し、映像データと対応付けて記憶部１５に保存する。本実施形態では、ＭＣＵ１９は、例えば警察官７が発話した現場の状況又は事件の種別等の音声の音声データを、映像データに対応する属性情報として付与可能である。本実施形態では、属性選択スイッチＳＷ４の状態と所定の属性情報との対応関係を示す対応情報がＥＥＰＲＯＭ１６に保持され、ＭＣＵ１９は、属性選択スイッチＳＷ４の状態を検出し、属性選択スイッチＳＷ４の設定に応じた属性情報を付与する。また、ＭＣＵ１９は、通信モードスイッチＳＷ５の状態を検出し、通信モードスイッチＳＷ５の設定に応じた通信モードによって通信部２１を動作させる。また、ＭＣＵ１９は、録画動作を開始した場合、インジケータスイッチＳＷ６の状態を検出し、インジケータスイッチＳＷ６の設定に応じて、ＬＥＤ表示及び／又はバイブレータ振動によって録画動作の状態を外部に示す報知を行う。
【００６１】
図４に示すように、ウェアラブルカメラ１０は、ユーザである警察官７の胸部等、ユーザの視点に近い位置からの視野の映像を撮像するように、警察官７が着用した衣服又は身体に装着して使用され、又はクリップなどの留め具を介して帽子に取り付けられてもよい。警察官７は、ウェアラブルカメラ１０を装着した状態で、録画スイッチＳＷ１を操作して周囲の被写体の撮像を行う。
【００６２】
図５に示すように、ウェアラブルカメラ１０は、略直方体状の筐体の正面に、撮像部１１の撮像レンズ１１ａ、録画スイッチＳＷ１、スナップショットスイッチＳＷ２が設けられる。マイクロホンＭＣは、図５では図示を省略しているが、例えば録画スイッチＳＷ１の近傍に配置され、例えば警察官７が装着した状態で緊急時でも発話した際に収音し易くできるように警察官７の口からの距離が近い位置に配置されることが好ましい（例えば図５参照）。録画スイッチＳＷ１は、例えば奇数回押下されることで録画（動画の撮像）が開始され、偶数回押下されることで録画が終了する。スナップショットスイッチＳＷ２は、押下される度に、そのときの静止画の撮像が実行される。
【００６３】
図６に示すように、ウェアラブルカメラ１０の筐体の正面から見て左側面には、属性情報付与スイッチＳＷ３、属性選択スイッチＳＷ４、ＵＳＢコネクタ２２ａが設けられる。警察官７が属性情報付与スイッチＳＷ３を押下操作することにより、現在録画中の映像データ又は直前に録画した映像データに対して、属性選択スイッチＳＷ４の設定状態に応じた属性情報が付与される。属性選択スイッチＳＷ４は、図示例ではＣ１，Ｃ２，Ｃ３の３段階の接点位置を有するスライドスイッチであり、Ｃ１〜Ｃ３にそれぞれ割り付け設定された属性情報をユーザが選択して指定する。ＵＳＢコネクタ２２ａには、ＵＳＢにより外部機器と接続するケーブルが接続され、ウェアラブルカメラ１０を車載システム６０又は警察署５内の署内ＰＣ７１等と接続してデータの送受信が可能となっている。
【００６４】
図７に示すように、ウェアラブルカメラ１０の筐体の正面から見て右側面には、通信モードスイッチＳＷ５、インジケータスイッチＳＷ６が設けられる。通信モードスイッチＳＷ５は、図示例ではＡＰ，ＳＴＡ１，ＳＴＡ２，ＯＦＦの４段階の接点位置を有するスライドスイッチであり、ウェアラブルカメラ１０の通信モードをユーザが選択して指定する。ＡＰはアクセスポイントモードであり、ウェアラブルカメラ１０が無線ＬＡＮのアクセスポイントとして動作し、携帯端末（不図示）と無線接続して、ウェアラブルカメラ１０と携帯端末との間で通信を行うモードである。アクセスポイントモードにおいて、携帯端末は、ウェアラブルカメラ１０と接続することにより、ウェアラブルカメラ１０による現在のライブ映像の表示、録画された映像データの再生、属性情報の付与、撮像された静止画の表示等を行うことができる。ＳＴＡ１，ＳＴＡ２はステーションモードであり、無線ＬＡＮにより外部機器（例えば上述したパトカー内に配置されたスマートフォンである携帯端末）と接続する場合に、外部機器をアクセスポイントとして通信を行うモードである。ＳＴＡ１は警察署内のアクセスポイントと接続するモード、ＳＴＡ２は車載システム６０と接続するモードである。ステーションモードにおいて、ウェアラブルカメラ１０の設定、ウェアラブルカメラ１０に録画した映像データの転送（アップロード）等を行うことができる。ＯＦＦは無線ＬＡＮの通信動作をオフし、無線ＬＡＮを未使用とするモードである。
【００６５】
インジケータスイッチＳＷ６は、図示例ではＬＥＤ、Ｖｉｂｒａｔｉｏｎ、ＬＥＤ＆Ｖｉｂｒａｔｉｏｎ、ＯＦＦの４段階の接点位置を有するスライドスイッチであり、ウェアラブルカメラ１０の報知モードをユーザが選択して指定する。ＬＥＤは、ＬＥＤ２６ａ〜２６ｃによってウェアラブルカメラ１０の録画中等の動作状態を表示するモードである。Ｖｉｂｒａｔｉｏｎは、バイブレータ２７の振動によってウェアラブルカメラ１０の動作状態を報知するモードである。ＬＥＤ＆Ｖｉｂｒａｔｉｏｎは、ＬＥＤ２６ａ〜２６ｃの表示とバイブレータ２７の振動によってウェアラブルカメラ１０の動作状態を報知するモードである。ＯＦＦは動作状態の報知動作をオフするモードである。
【００６６】
ＬＥＤ２６ａ〜２６ｃは、図示しないが、ウェアラブルカメラ１０の筐体の正面から見て上面に配置されている。これにより、ユーザがウェアラブルカメラ１０を装着した状態でＬＥＤを容易に視認でき、また、ユーザ本人以外からはＬＥＤが見えないようになっている。また、図示しないが、ウェアラブルカメラ１０の筐体の正面から見て下面には、コンタクトターミナル２３が設けられる。
【００６７】
次に、本実施形態のバックエンドサーバＳＶの内部構成について、図３を参照して説明する。図３は、本実施形態のバックエンドサーバの内部構成の一例を示すブロック図である。
【００６８】
図３に示すバックエンドサーバＳＶは、ＣＰＵ３０１と、メモリ３０２と、Ｉ／Ｏ制御部３０３と、通信部３０４と、入力部３０５と、出力部３０６と、ストレージ制御部３０７と、ストレージ３０８とを含む構成である。
【００６９】
ＣＰＵ３０１は、例えばバックエンドサーバＳＶの各部の動作を全体的に統括するための制御処理、他の各部との間のデータの入出力処理、データの演算（計算）処理およびデータの記憶処理を行う。
【００７０】
音声認識部の一例としてのＣＰＵ３０１は、ウェアラブルカメラ１０により撮像された映像データに対して属性情報に関する音声データが付与されていた場合に、ユーザ（例えばバックエンドシステム１００Ｂを管轄する警察署５内の担当者）の操作に応じて、属性情報に関する音声データを音声認識する。音声認識の処理自体は公知技術であるため、ここでは詳細な説明は省略する。例えば、属性情報に関する音声データとして、警察官７によって「２０１５年３月４日、１９時００分、飲酒検問の現場に到着した」との音声がウェアラブルカメラ１０のマイクロホンＭＣにより収音されていたとする。この場合、ＣＰＵ３０１は、音声認識結果の文章全体、又はその一部からストレージ３０８内の辞書データベース（不図示）に予め登録されている事件又は現場の状況を示す用語「飲酒検問」を、属性情報として該当する映像データに付与してストレージ３０８に記憶させる。これにより、バックエンドサーバＳＶは、例えば現場の状況を示す属性情報（例えば「飲酒検問」）がウェアラブルカメラ１０の属性選択スイッチＳＷ４に予め割り付けられていなかった場合でも、ウェアラブルカメラ１０により現場に到着した警察官７の音声を属性情報として付与することで、その音声の音声認識結果を用いて、任意の現場の状況を示す属性情報を現場の映像データに適するように柔軟に付与できる。
【００７１】
メモリ３０２は、例えばＲＡＭ、ＲＯＭ、不揮発性又は揮発性の半導体メモリを用いて構成され、ＣＰＵ３０１の動作時のワークメモリとして機能し、ＣＰＵ３０１を動作させるための所定のプログラムおよびデータを保存している。メモリ３０２は、例えばＣＰＵ３０１がストレージ３０８から読み出した録画データＲＣＤ１（図８参照）のメタデータＭＴＤ１に含まれる音声データ（つまり、ウェアラブルカメラ１０によって属性情報に関する音声が収音された音声データ）を音声認識する際に、録画データＲＣＤ１を一時的に記憶する。
【００７２】
Ｉ／Ｏ制御部３０３は、ＣＰＵ３０１とバックエンドサーバＳＶの各部（例えば通信部３０４、入力部３０５、出力部３０６）との間でデータの入出力に関する制御を行い、ＣＰＵ３０１からのデータおよびＣＰＵ３０１へのデータの中継を行う。なお、Ｉ／Ｏ制御部３０３は、ＣＰＵ３０１と一体的に構成されてもよい。
【００７３】
通信部３０４は、管理ソフトウェア７０を介して、フロントエンドシステム１００Ａの車載システム６０又はウェアラブルカメラ１０との間で、有線又は無線による通信を行う。受信部の一例としての通信部３０４は、車載システム６０から送信された録画データＲＣＤ１を受信する。また、通信部３０４は、ウェアラブルカメラ１０から直接送信された録画データＲＣＤ１を受信してもよい。
【００７４】
入力部３０５は、バックエンドシステム１００Ｂを管轄する警察署５内の担当者の入力操作を受け付け、Ｉ／Ｏ制御部３０３を介してＣＰＵ３０１に通知するためのＵＩであり、例えばマウス、キーボード等のポインティングデバイスである。入力部３０５は、例えば出力部３０６において出力される画面に対応して配置され、上記担当者の指又はスタイラスペンによって操作が可能なタッチパネル又はタッチパッドを用いて構成されてもよい。
【００７５】
出力部３０６は、例えばＬＣＤ又は有機ＥＬを用いて構成される表示デバイスと音声を出力するスピーカの両方又はその一方を含む構成であり、各種データを画面に表示したり音声を出力したりする。出力部３０６は、例えばバックエンドシステム１００Ｂを管轄する警察署５内の担当者の入力操作に応じて、ウェアラブルカメラ１０により撮像（録画）された録画データＲＣＤ１が入力された場合には、ＣＰＵ３０１の指示の下で、録画データＲＣＤ１の映像データに含まれる映像を画面に表示する。
【００７６】
ストレージ制御部３０７は、ＣＰＵ３０１又はＩ／Ｏ制御部３０３の指示に応じて、ストレージ３０８に記憶された各種データの読み出し、又はストレージ３０８への各種データの書き込みを行う。
【００７７】
ストレージ３０８は、例えばＳＳＤ又はＨＤＤ等により構成され、ウェアラブルカメラ１０により撮像されて録画された録画データＲＣＤ１を記憶して蓄積する。また、ストレージ３０８は、ウェアラブルカメラ１０から録画データＲＣＤ１が直接転送された場合には、ウェアラブルカメラ１０により撮像されて録画された録画データＲＣＤ１を記憶して蓄積する。また、ストレージ３０８は、録画データＲＣＤ１以外の各種データを蓄積してもよく、例えばＣＰＵ３０１が音声認識処理を行った結果として、例えば事件又は現場の状況を示す用語の辞書データベース（不図示）を蓄積してもよい。なお、ストレージ３０８は、複数設けられてもよい。
【００７８】
次に、本実施形態における映像データへの属性情報の付与について説明する。ウェアラブルカメラシステム１００において、ウェアラブルカメラ１０により録画し、バックエンドサーバＳＶ１へ転送して蓄積した映像データを利用する場合を想定する。この場合、蓄積した映像データの中から、映像内容の種別、撮像した警察官７、日時、場所等、映像データに関連する何らかの属性情報を基にして対象の映像データを抽出し、再生する。映像データに属性情報が付与されていないと、後になって何を撮像した映像であるかの判別が困難であり、目的の映像データを抽出できず、映像データの利便性が劣化するため、多くの映像データを蓄積する場合には属性情報を付与することが必要になる。本実施形態では、ウェアラブルカメラ１０は、映像内容の種別を示す分類情報を属性情報として映像データに付与したり、現場の状況又は事件の種別を警察官７が発話した場合の音声の音声データ自体を属性情報として映像データに付与したりする。なお、属性情報としては分類情報に限定されず、録画した映像データに関するあらゆる情報が含まれてもよい。また、属性情報としての分類情報は、階層構造としたり、分類を異なる複数の系統によってカテゴリ分けしてもよい。
【００７９】
警察官７がウェアラブルカメラ１０により撮像した現場から警察署５に戻ってきた場合等、後で警察署５内の署内ＰＣ７１等で属性情報を付与する場合、映像データを再生しながら種別を判断し、属性情報を付与することになるため、警察官７又は別の担当者の付与作業における時間及び手間がかかる。また、属性情報が未付与の映像データが溜まると、個々の映像データの確認に手間がかかり、種別の判断及び属性情報の付与に多くの労力を要する。そこで、本実施形態のウェアラブルカメラ１０は、録画した直後、又は録画している間に属性情報を容易に付与できる。更に、ウェアラブルカメラ１０は、属性情報の割付可能数（例えば３つ、図９参照）に限界があることから、例えば大規模な事件の種別について属性選択スイッチＳＷ４の割付がされていて小規模な事件の種別について属性選択スイッチＳＷ４の割付ができていない場合には、属性選択スイッチＳＷ４を音声録音モード（後述参照）に対応するように設定した上で、警察官７が発した音声（例えば小規模な事件の種別を含む音声）の音声データ自体を属性情報として映像データに付与する。
【００８０】
図８は、ウェアラブルカメラ１０により撮像された録画データＲＣＤ１のデータ構造の一例を示す図である。本実施形態のウェアラブルカメラ１０は、映像を撮像して録画を行う場合、図８に示すように、撮像した映像データＶＤＯ１とともに、この映像データＶＤ１に関連する属性情報を含むメタ情報ＭＴＤ１を生成し、両者のデータを関連付けた録画データＲＣＤ１として記憶部１５に保存する。言い換えると、ウェアラブルカメラ１０により撮像されて録画された録画データＲＣＤ１には、映像データＶＤＯ１とメタ情報ＭＴＤ１とが含まれる。なお、録画データＲＣＤ１は、通信環境（例えば回線速度）の点において、ウェアラブルカメラ１０から車載システム６０経由でバックエンドサーバＳＶに転送されることが好ましい。言い換えると、ウェアラブルカメラ１０により撮像されて録画された録画データＲＣＤ１は、ウェアラブルカメラ１０から直接転送されてもよいが、転送時間を短縮するためには、車載システム６０がバックエンドサーバＳＶへ映像データ等を転送していない期間（例えば警察官７のパトロールのシフト勤務時間が終わり、警察署５に戻るまでの移動時間）にウェアラブルカメラ１０から車載システム６０へ録画データＲＣＤ１を転送しておき、その後車載システム６０からバックエンドサーバＳＶに転送される方が好ましい。
【００８１】
図９は、属性選択スイッチＳＷ４と属性情報との対応関係の一例を示す図である。図１０は、属性選択スイッチＳＷ４と属性情報付与モードと属性情報との対応関係の一例を示す図である。
【００８２】
図９に示すように、例えば初期設定において、ウェアラブルカメラ１０の属性選択スイッチＳＷ４の状態（つまり、接点位置）を示すＣ１〜Ｃ３にそれぞれ対応して、ウェアラブルカメラ１０の属性情報付与モードが「固定モード」に設定され、属性情報の割り付けが設定される。属性情報の割り付けは、複数（例えば１０個）定義された属性情報の中から、ユーザにとって使用頻度の高い属性情報が選択して設定される。属性情報の設定内容は、ウェアラブルカメラ１０のＥＥＰＲＯＭ１６において保持される。図９では、警察官７が事件現場の様子を撮像する場合を想定し、Ｃ１に「交通事故」、Ｃ２に「飲酒運転」、Ｃ３に「速度超過」がそれぞれ割り付けられている。この場合には、Ｃ１〜Ｃ３はそれぞれ固定の属性情報が割り付けされているので、ウェアラブルカメラ１０の属性情報付与モードは「固定モード」となる。固定モードは、映像データの属性情報として、予め割り付けられた固定の属性情報（テキストデータ）を付与する動作状態を示す。
【００８３】
一方、図１０に示すように、例えば属性情報が最大１０個程度ある場合、図９に示すように属性情報を固定に割り付けてしまうと、「交通事故」、「飲酒運転」、「速度超過」以外の属性情報の付与ができない。従って、例えば初期設定において、ウェアラブルカメラ１０の属性選択スイッチＳＷ４の状態（つまり、接点位置）を示す例えばＣ３に対応して、ウェアラブルカメラ１０の属性情報付与モードを「音声録音モード」に設定しておけば、属性情報として「音声」が設定される。音声録音モードは、映像データの属性情報として、警察官７が発話した音声自体の音声データを付与可能にする動作状態を示す。
【００８４】
図１１は、録画映像リストＬＳＴのデータ構造の一例を示す図である。映像データＶＤＯ１に関連するメタ情報ＭＴＤ１は、例えば図１１に示す録画映像リストＬＳＴとして記憶される。録画映像リストＬＳＴは、イベントＩＤ、時間情報、カメラＩＤ、ユーザＩＤ、属性情報、ＧＰＳ情報等の各データが含まれる。イベントＩＤは、録画のイベントを識別するための識別情報である。本実施形態では、録画開始から録画終了までの１つの録画動作が１つのイベントとして規定され、ウェアラブルカメラ１０は、個々の録画動作のイベント（以下、録画イベントとも称する）についてイベントＩＤを付与する。イベントＩＤとしては、映像データのファイル名などを用いてもよい。時間情報は、個々の録画イベントの時間情報であり、例えば録画開始時刻を付与する。時間情報としては、録画開始時刻だけでなく、録画開始時刻と録画終了時刻、録画開始時刻と録画継続時間などを用いてもよい。
【００８５】
カメラＩＤは、個々のウェアラブルカメラ１０を識別するための識別情報である。ユーザＩＤは、ウェアラブルカメラ１０を使用する警察官７の識別情報である。ウェアラブルカメラ１０を使用する際に、録画した映像データについて、どの個体のカメラを誰が使用して録画したものであるかを判別できるように、カメラＩＤとユーザＩＤを設定しておく。
【００８６】
属性情報は、映像データの種別を識別するための分類情報であり、図９又は図１０に示した属性情報の設定内容に基づき、警察官７による属性情報付与スイッチＳＷ３及び属性選択スイッチＳＷ４の操作に従って付与される。ＧＰＳ情報は、映像データの録画が行われた場所を示す位置情報であり、例えば録画開始時の現在位置情報をＧＰＳ１８から取得して付与する。上記の各メタ情報は、録画開始時又は録画終了の直後に、ＭＣＵ１９の処理によって付与され、映像データと関連付けて記憶部１５に記憶される。
【００８７】
また、図１１のイベントＩＤが「Ｅｖｅｎｔ１０」では、属性情報として、警察官７が発した音声の音声データであることが示されている。また、属性情報が音声データである場合には、マイクロホンＭＣによって収音された音声の音声データのファイル名と当該音声の録音開始時刻及び録音終了時刻の各情報とが付帯情報として付与される。これにより、バックエンドサーバＳＶは、映像データに付与された属性情報としての音声データを音声認識する際に、間違った音声データを音声認識することなく、音声認識処理の対象としての音声データを正確に特定できる。
【００８８】
次に、本実施形態のウェアラブルカメラ１０において、属性情報が付与されるタイミングのバリエーションについて、図１２〜図１５を参照して説明する。図１２は、連続録画時に属性情報を付与する動作の一例を示すタイムチャートである。図１３は、プレ録音及びプレ録画が無い時に属性情報を付与する動作の一例を示すタイムチャートである。図１４は、プレ録音及びプレ録画がある時に属性情報を付与する動作の一例を示すタイムチャートである。図１５は、プレ録画がある時に属性情報を付与する動作の一例を示すタイムチャートである。
【００８９】
図１２〜図１５では、横軸は時間を示し、マイクロホンＭＣにおける音声の収音に関するタイムチャートと、撮像部１１における映像の撮像（録画）に関するタイムチャートとが平行に示されている。また、図１２〜図１５の説明では、ウェアラブルカメラ１０は「音声録音モード」に設定され、属性選択スイッチＳＷ４の例えば接点位置のＣ３が「音声」に設定されているとする。
【００９０】
図１２では、例えば現場の映像がウェアラブルカメラ１０により連続的に撮像（録画）されている状態が示されている。つまり、ウェアラブルカメラ１０の電源がＯＮされてから警察官７が発した音声あるいは周囲の音が連続的に収音され、更に、警察官７が録画スイッチＳＷ１を押下した等によって撮像部１１により映像が連続的に撮像（録画）されている。ウェアラブルカメラ１０の電源がＯＮされてから一定時間経過後に、属性選択スイッチＳＷ４がＣ３に選択された上で属性情報付与スイッチＳＷ３が操作された場合には、ウェアラブルカメラ１０は、ウェアラブルカメラに予め登録された一定時間又は警察官７が属性情報付与スイッチＳＷ３を長押しした時間分の音声を属性情報として映像データに付与する。
【００９１】
図１３では、映像の撮像（録画）がされている期間に、警察官７が音声あるいは周囲の音が録音されている状態を示している。録画開始トリガＯＰ１ａ，ＯＰ２ａ（例えば、警察官７が録画スイッチＳＷ１を１回押下したこと）により、撮像部１１により撮像された現場の映像の録画が開始され、マイクロホンＭＣによって警察官７の発する音声あるいは周囲の音の収音が開始される。録画終了トリガＯＰ１ｂ，ＯＰ２ｂ（例えば、警察官７が録画スイッチＳＷ１を一定時間長押ししたこと）により、撮像部１１により撮像された現場の映像の録画が終了する。映像の録画が開始されてから一定時間経過後に、属性選択スイッチＳＷ４がＣ３に選択された上で属性情報付与スイッチＳＷ３が操作された場合には、ウェアラブルカメラ１０は、ウェアラブルカメラに予め登録された一定時間又は警察官７が属性情報付与スイッチＳＷ３を長押しした時間分の警察官の音声を属性情報として映像データに付与する。
【００９２】
なお、録画開始トリガＯＰ１ａ，ＯＰ２ａは、警察官７が録画スイッチＳＷ１を１回押下した操作に限定されず、例えば所定の条件が満たされた場合に自動録画が開始されることでもよく、以下同様である。同様に、録画終了トリガＯＰ１ｂ，ＯＰ２ｂは、警察官７が録画スイッチＳＷ１を一定時間長押しした操作に限定されず、例えば所定の条件が満たされた場合に自動録画が終了することでもよく、以下同様である。
【００９３】
図１４では、例えばウェアラブルカメラ１０の動作テストのために、一定時間（例えば１０秒又は３０秒）の映像の事前撮像（プレ映像）及び警察官７の音声の事前収音（プレ音声）が行われた後で、映像の撮像（録画）がされている期間に、警察官７あるいは周囲の音が録音されていることが示されている。録画開始トリガＯＰ１ａ（例えば、警察官７が録画スイッチＳＷ１を１回押下したこと）により、撮像部１１により撮像された現場の映像の録画が開始され、マイクロホンＭＣによって警察官７の発する音声あるいは周囲の音の収音が開始される。録画終了トリガＯＰ１ｂ（例えば、警察官７が録画スイッチＳＷ１を一定時間長押ししたこと）により、撮像部１１により撮像された現場の映像の録画が終了する。映像の録画が開始されてから一定時間経過後に、属性選択スイッチＳＷ４がＣ３に選択された上で属性情報付与スイッチＳＷ３が操作された場合には、ウェアラブルカメラ１０は、ウェアラブルカメラに予め登録された一定時間又は警察官７が属性情報付与スイッチＳＷ３を長押しした時間分の音声を属性情報として映像データに付与する。
【００９４】
図１５では、例えばウェアラブルカメラ１０の動作テストのために、一定時間（例えば１０秒又は３０秒）の映像の事前撮像（プレ映像）が行われた後で、映像の撮像（録画）がされている期間に、警察官７の音声あるいは周囲の音が録音されていることが示されている。録画開始トリガＯＰ１ａ，ＯＰ２ａ（例えば、警察官７が録画スイッチＳＷ１を１回押下したこと）により、撮像部１１により撮像された現場の映像の録画が開始され、マイクロホンＭＣによって警察官７の発する音声あるいは周囲の音の収音が開始される。録画終了トリガＯＰ１ｂ，ＯＰ２ｂ（例えば、警察官７が録画スイッチＳＷ１を一定時間長押ししたこと）により、撮像部１１により撮像された現場の映像の録画が終了する。映像の録画が開始されてから一定時間経過後に、属性選択スイッチＳＷ４がＣ３に選択された上で属性情報付与スイッチＳＷ３が操作された場合には、ウェアラブルカメラ１０は、ウェアラブルカメラに予め登録された一定時間又は警察官７が属性情報付与スイッチＳＷ３を長押しした時間分の音声を属性情報として映像データに付与する。
【００９５】
次に、本実施形態のウェアラブルカメラ１０における属性情報の付与動作について、図１６を参照して説明する。図１６は、本実施形態のウェアラブルカメラ１０における属性情報付与動作に関する手順の一例を示すフローチャートである。
【００９６】
図１６において、ウェアラブルカメラ１０のＭＣＵ１９は、録画動作に先立って、初期設定を実行する（Ｓ１）。ウェアラブルカメラ１０の初期設定は、例えば警察官７が出動する際に、警察署５内の署内ＰＣ７１に接続し、署内ＰＣ７１を操作して設定情報を転送することによって行う。初期設定としては、カメラＩＤ及びユーザＩＤの付与（図１１参照）、属性情報付与スイッチＳＷ３及び属性選択スイッチＳＷ４の有効化、属性選択スイッチＳＷ４への複数の属性情報の割り付け（図９参照）又は属性選択スイッチＳＷ４の一部（例えば接点位置を示すＣ３）に属性情報「音声」を付与可能な「音声録音モード」の設定（図１０参照）が実行される。
【００９７】
ＭＣＵ１９は、警察官７による録画スイッチＳＷ１の第１回目の入力を検出すると、録画動作を開始し、撮像部１１による撮像を実行して動画の映像データを記憶部１５に記憶（つまり、映像データを録画）する（Ｓ２）。
【００９８】
ＭＣＵ１９は、警察官７による録画スイッチＳＷ１の第２回目の入力を検出すると、１つの録画イベントの録画動作を終了する（Ｓ３）。続いて、ＭＣＵ１９は、属性選択スイッチＳＷ４の選択状態を入力し（Ｓ４）、属性情報付与スイッチＳＷ３の入力の有無を判定する（Ｓ５）。なお、属性情報付与スイッチＳＷ３の入力があるまで（Ｓ５、ＮＯ）、属性選択スイッチＳＷ４の選択状態が維持されてもよいし、変更されてもよい。
【００９９】
属性情報付与スイッチＳＷ３の入力があった場合（Ｓ５、ＹＥＳ）、ＭＣＵ１９は、ウェアラブルカメラ１０の属性情報付与モードが「音声録音モード」であるか否かを判定する（Ｓ６）。ここで、ウェアラブルカメラ１０が「音声録音モード」である場合とは、例えばステップＳ１の初期設定において属性選択スイッチＳＷ４の一部（例えば接点位置を示すＣ３）に属性情報「音声」が割り当てられた場合に限らず、例えばステップＳ５における属性情報付与スイッチＳＷ３が所定時間（例えば５秒）長押しされた場合も含まれてもよい。つまり、属性情報付与スイッチＳＷ３が所定時間（例えば５秒）長押しされた場合には、ＭＣＵ１９は、属性情報付与モードを、「音声録音モード」に簡易に切り替えできる。
【０１００】
ウェアラブルカメラ１０の属性情報付与モードが「音声録音モード」である場合には（Ｓ６、ＹＥＳ）、ＭＣＵ１９は、指定された時間分、マイクロホンＭＣにより収音された警察官７の音声を収音し、収音により得られた音声の音声データを記憶部１５に記憶（つまり、録音）する（Ｓ７）。ここで、指定された時間には、初期設定において属性選択スイッチＳＷ４の一部に属性情報「音声」が割り付けられた場合には所定時間（例えば５秒又は１０秒）としてもよいし、例えば属性情報付与スイッチＳＷ３が所定時間（例えば５秒）長押しされた場合には長押しされた時間（例えば５秒）でもよい。なお、後者の場合には、ウェアラブルカメラ１０は、警察官７が長押しした期間の長さに応じて、録音された期間分の音声を属性情報として柔軟に付与可能である。
【０１０１】
更に、ＭＣＵ１９は、属性選択スイッチＳＷ４の状態に対応する属性情報をＥＥＰＲＯＭ１６から読み込み、ステップＳ７において録音された音声データ（つまり、警察官７がウェアラブルカメラ１０に向かって発話した音声の音声データ）を、ステップＳ２〜ステップＳ３において録画された映像データに対する属性情報として付与する（Ｓ８）。
【０１０２】
一方、ウェアラブルカメラ１０の属性情報付与モードが「音声録音モード」ではない場合（Ｓ６、ＮＯ、つまり「固定モード」である場合）、ＭＣＵ１９は、属性選択スイッチＳＷ４の状態に対応する属性情報をＥＥＰＲＯＭ１６から読み込み、ステップＳ２〜ステップＳ３において録画された映像データに対して付与する（Ｓ９）。
【０１０３】
ＭＣＵ１９は、付与した属性情報を含むメタ情報ＭＴＤ１を記憶部１５に出力し、直前に録画動作を終了して記憶した映像データＶＤＯ１と関連付けて記憶する（Ｓ１０）。メタ情報には、イベントＩＤ、時間情報、属性情報、カメラＩＤ、ユーザＩＤ、ＧＰＳ情報が含まれる（図１１参照）。そして、ＭＣＵ１９は、属性情報付与処理を終了する。
【０１０４】
なお、上記の例では、１つの録画イベントが終了してから属性情報を付与する手順を示したが、録画動作を継続している間に属性情報付与スイッチＳＷ３の入力を検出し、録画中に属性情報を付与する手順としてもよい。
【０１０５】
以上により、本実施形態のウェアラブルカメラシステム１００では、ユーザである警察官７は、ウェアラブルカメラ１０を用いて現場の状況の映像を撮像する場合に、ウェアラブルカメラ１０単体の簡単な操作によって、録画した直後又は録画している間に、映像データに対して属性情報を容易に付与できる。このため、警察官７は、緊急時の撮像現場であっても、確実に映像データの属性情報を付与できる。また、ウェアラブルカメラ１０は、警察官７の音声をマイクロホンＭＣにおいて収音できるので、例えば初期設定又は属性情報付与スイッチＳＷ３の長押し操作によって属性情報付与モードを「音声録音モード」に簡易に設定変更できる。これにより、ウェアラブルカメラ１０は、現場の映像の種別を示す属性情報として、警察官７が発した音声の音声データを用いて映像データに付与できるので、映像の種別や事件の種別等に限定されない広範な内容を有した属性情報を簡単に取得できる。
【０１０６】
また、バックエンドサーバＳＶは、ウェアラブルカメラ１０により収音された警察官７の音声の音声データが属性情報として付与された映像データを受信した後、音声データを音声認識処理する。これにより、バックエンドサーバＳＶは、音声データの音声認識結果又はその結果の一部から例えば事件又は現場の状況を示す用語を、ストレージ３０８に登録された辞書データベース（不図示）から抽出して映像データに対する属性情報を自動的に付与可能である。従って、警察署５においてバックエンドサーバＳＶに蓄積された映像データを利用する場合、属性情報を参照することによって、どの種別の映像データであるかを容易に判別して抽出できる。また、属性情報を含むメタ情報ＭＴＤ１によって、いつ、どこで、どのカメラで、誰が撮像した、どのような内容の映像であるかを容易に識別でき、証拠映像としての信頼性を高めることができる。
【０１０７】
本実施形態によれば、ウェアラブルカメラ１０によって容易に映像データの属性を設定できるため、属性情報付与時の手間を削減でき、また、録画直後から映像データの識別を簡便に実施できる。これにより、ウェアラブルカメラシステム１００において、撮像した映像データを取扱う際の利便性を向上できる。更に、警察官７が装着するウェアラブルカメラ１０の携行性を考慮した場合、筐体の小型化が求められるため、操作ボタン等の入力部の配置上の制約もあるが、本実施形態のウェアラブルカメラ１０によれば、警察官７が発する音声を属性情報として映像データに付与できるので、属性選択スイッチＳＷ４の接点位置を多くとる必要もなく、設計上の制約も緩和される。
【０１０８】
また、警察官７が発した音声に属性情報自体（例えば「速度超過」又は「家屋侵入」）のようなの音声が直接に含まれている場合には、バックエンドサーバＳＶにおける音声認識処理を行うことなく、ウェアラブルカメラ１０は、映像データに関連する属性情報を簡易に取得できる。
【０１０９】
また、本実施形態のウェアラブルカメラ１０では、ＭＣＵ１９は、撮像部１１による映像データの録画動作が終了してから次の録画動作が開始するまでの間、或いは、撮像部１１による映像データの録画動作中に、属性情報付与スイッチＳＷ３からの入力を検出し、直前に録画終了した録画データ又は録画中の録画データに対して、属性情報を付与する。これにより、ウェアラブルカメラ１０単体の操作によって、録画した直後、又は録画している間に、映像データに対して属性情報を容易に付与することができる。
【０１１０】
また、本実施形態のウェアラブルカメラ１０では、属性情報付与モードが「固定モード」である場合には、属性選択スイッチＳＷ４における複数の設定状態のそれぞれに対して異なる属性情報を割り付けて設定可能である。これにより、ウェアラブルカメラ１０は、属性選択スイッチＳＷ４の操作によって複数の属性情報の中から所望の属性情報を選択的に設定し、映像データに対して適切な属性を付与することができる。
【０１１１】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、本発明の趣旨を逸脱しない範囲において、上記実施形態における各構成要素を任意に組み合わせてもよい。
【産業上の利用可能性】
【０１１２】
本発明は、現場の映像データに関する属性情報を簡易に付与でき、撮像された映像データを取扱う上での利便性を向上するウェアラブルカメラ及びウェアラブルカメラシステムとして有用である。
【符号の説明】
【０１１３】
１０  ウェアラブルカメラ
１１  撮像部
１２  ＧＰＩＯ
１３  ＲＡＭ
１４  ＲＯＭ
１５  記憶部
１６  ＥＥＰＲＯＭ
１７  ＲＴＣ
１８  ＧＰＳ
１９  ＭＣＵ
２１  通信部
２２  ＵＳＢ
２３  コンタクトターミナル
２４  電源部
２５  バッテリ
２６ａ、２６ｂ、２６ｃ  ＬＥＤ
２７  バイブレータ
６０  車載システム
１００  ウェアラブルカメラシステム
ＳＶ  バックエンドサーバ
ＳＷ１  録画スイッチ
ＳＷ２  スナップショットスイッチ
ＳＷ３  属性情報付与スイッチ
ＳＷ４  属性選択スイッチ
【図１】
2016181767.tif 000003
【図２】
2016181767.tif 000004
【図３】
2016181767.tif 000005
【図４】
2016181767.tif 000006
【図５】
2016181767.tif 000007
【図６】
2016181767.tif 000008
【図７】
2016181767.tif 000009
【図８】
2016181767.tif 000010
【図９】
2016181767.tif 000011
【図１０】
2016181767.tif 000012
【図１１】
2016181767.tif 000013
【図１２】
2016181767.tif 000014
【図１３】
2016181767.tif 000015
【図１４】
2016181767.tif 000016
【図１５】
2016181767.tif 000017
【図１６】
2016181767.tif 000018